(57)【要約】【課題】着脱時の光コネクタ先端部の損傷や破損を抑制し、着脱作業を容易化できるアダプタ、レセプタクル等の光コネクタハウジングを提供する。【解決手段】光コネクタ１０が挿入接続される内部ハウジング２と、この内部ハウジング２をクリアランスによって浮動を許容して収容する外部ハウジング３とを有し、内部ハウジング２の軸方向中央部外側と、外部ハウジング３の内側とに形成された係合部６が、クリアランスによって浮動可能に係合されており、内部ハウジング２が、その軸方向中央部を回転中心として浮動可能となっている光コネクタハウジング１による。これにより、光コネクタ１０の着脱の際、光コネクタ１０に対して、外部ハウジング３の内部ハウジング収容穴５の中心軸線方向から若干ずれた方向に力を加えたとしても、内部ハウジング２の浮動により、光コネクタ１０先端部の損傷や破損を抑制することができる。【選択図】　図３
2004093828.tif 000002
【特許請求の範囲】
【請求項１】
光コネクタ（１０）が挿入接続される内部ハウジング（２）と、この内部ハウジングをクリアランスによって浮動を許容して収容する外部ハウジング（３）とを有し、内部ハウジングの軸方向中央部外側と、外部ハウジングの内側とにそれぞれ形成された係合部（６）が、クリアランスによって浮動可能に係合されており、内部ハウジングが、その軸方向中央部を回転中心として前記外部ハウジング内で浮動可能となっていることを特徴とする光コネクタハウジング。
【請求項２】
前記内部ハウジング側の係合部が、内部ハウジングの対向する両側に突出された突起（６ａ）であり、前記外部ハウジング側の係合部が、前記突起をクリアランスによって浮動可能に収容する凹所（６ｂ）であることを特徴とする請求項１に記載の光コネクタハウジング。
【発明の詳細な説明】
【０００１】
【発明の属する技術分野】
本発明は、光コネクタ同士を接続するために用いられる光コネクタアダプタや光コネクタレセプタクルなどの光コネクタハウジングに関する。
【０００２】
【従来の技術】
周知のように、プラグ−アダプタ−プラグ結合方式の光コネクタは、アダプタとなる光コネクタハウジングに、対向する両側から挿入、接続された光コネクタ（プラグ）同士が、該アダプタ内で接続されるものである。
また、プラグ−レセプタクル結合方式の光コネクタは、レセプタクルとなる光コネクタハウジング内に、接続される一方のフェルールが保持されており、これに対向して前記レセプタクルに光コネクタ（プラグ）が挿入されて接続されるものである。
アダプタやレセプタクルなどの光コネクタハウジング内での光コネクタ同士の接続は、各光コネクタ（プラグ）のハウジング先端部に保持されたフェルール同士を突き合わせ接合することで実現される。フェルール同士は、高精度に位置決めして突き合わせ接合する必要がある。
【０００３】
例えば、ＭＰＯ形光コネクタ（ＪＩＳ　Ｃ　５９８１等に規定されるＭＴ形光コネクタフェルール（以下、ＭＴフェルールとも言う）をプラスチック製のハウジングの先端に収容した構成の光コネクタプラグ）同士の接続では、一方の光コネクタのＭＴフェルールの接合端面に突設されているガイドピンを、他方の光コネクタのＭＴフェルールの接合端面に開口されているガイドピン穴に挿入、嵌合する周知のガイドピン位置合わせ機構によって、ＭＴフェルール同士が高精度に位置決めして突き合わせ接合されることで接続される。
【０００４】
【発明が解決しようとする課題】
ところで、このような光コネクタでは、光コネクタ（プラグ）加える力の方向（着脱方向）が光コネクタハウジングの中心軸線の方向からずれると（いわゆる斜め挿し）、光コネクタ先端部を光コネクタハウジング内でこじってしまい、さらに無理な押し込みにより、フェルール等を損傷することがあるといった不都合がある。例えば、前述のＭＰＯ形光コネクタでは、一方の光コネクタ（プラグ）を先行して光コネクタアダプタの一方の端部に装着した状態で、他方の光コネクタ（プラグ）を光コネクタアダプタの他方の端部に挿入する際、一方の光コネクタのガイドピンで、他方の光コネクタのＭＴフェルールの先端部やガイドピン穴等をこじって、傷つけたり、破損したりすることがある。
従って、本発明は、着脱時の光コネクタ先端部の損傷や破損を抑制し、着脱作業を容易化することができる光コネクタハウジングの提供を課題とする。
【０００５】
【課題を解決するための手段】
前記課題を解決するため、本発明は、光コネクタが挿入接続されるスリーブ状の内部ハウジングと、この内部ハウジングをクリアランスによって浮動を許容して収容する外部ハウジングとを有し、内部ハウジングの軸方向中央部外側と、外部ハウジングの内側とに形成された係合部が、クリアランスによって浮動可能に係合されており、内部ハウジングが、その軸方向中央部を回転中心として浮動可能となっている光コネクタハウジングを提供する。
このような光コネクタハウジングにおいては、前記内部ハウジング側の係合部を、内部ハウジングの対向する両側に突出された突起とし、前記外部ハウジング側の係合部を、前記突起をクリアランスによって浮動可能に収容する凹所とすることが好ましい。
【０００６】
このような光コネクタハウジングを用いることにより、光コネクタの着脱時に、一方の光コネクタの着脱方向が、外部ハウジングの内部ハウジング収容穴の中心軸線の方向からずれた方向となったとしても、内部ハウジングが、内部ハウジングの軸方向中央部を回転中心として、外部ハウジング内で浮動することにより、他方の光コネクタが、着脱方向に追従して、着脱側の光コネクタの反対側に移動するので、光コネクタ先端部に無理な力が集中しなくなり、光コネクタ先端部の損傷や破損が抑制される。
【０００７】
【発明の実施の形態】
本発明において光コネクタハウジングとは、アダプタやレセプタクルのように、光コネクタ（プラグ）の挿入により、接合すべきフェルールの位置決めができ、光ファイバの接続が可能となる形態の光コネクタを総称する。
以下、本発明の一実施の形態を図面を参照して説明する。図１は本発明の光コネクタハウジング１をアダプタに適用した一例を示す図であって、（ａ）は平断面図、（ｂ）は正断面図、（ｃ）は側面図である。また、図２は、前記光コネクタハウジング１（以下、単にアダプタという）とともに用いられる光コネクタ１０の一例を示す片側断面図である。
図３は、前記アダプタ１に前記光コネクタ１０を取り付けた状態を示す（ａ）平断面図、（ｂ）正断面図であり、図４は、図３の要部を拡大して示す（ａ）平断面図、（ｂ）正断面図である。
【０００８】
本実施の形態のアダプタ１が適用される光コネクタ１０は、図２に示すように、ＪＩＳ　Ｃ　５９８２等に制定されるいわゆるＭＰＯ形光コネクタプラグ（ＭＰＯ：Ｍｕｌｔｉｆｉｂｅｒ　Ｐｕｓｈ−Ｏｎ）である。このＭＰＯ形光コネクタプラグは、ＪＩＳ　Ｃ　５９８１等に規定されるＭＴ形光コネクタフェルール１２（ＭＴ：Ｍｅｃｈａｎｉｃａｌｌｙ　Ｔｒａｎｓｆｅｒａｂｌｅ。以下、単にフェルールという）をプラスチック製のハウジング１１の先端部に収容した構成の光コネクタプラグであり、全体が外観扁平な断面形状に形成されている。
以下の説明では、この光コネクタ１０の扁平形状の短辺側に対応する方向を厚さ方向、長辺側に対応する方向を幅方向ということがある。
【０００９】
ハウジング１１は、スリーブ状であり、フェルール１２は、ハウジング１１の先端部に収容されている。フェルール１２は、ハウジング１１の軸方向に若干（例えば数μｍ程度）移動できるようになっている。このハウジング１１の内部に収容されているスプリング１５は、該ハウジング１１内部に反力を取ってフェルール１２を接続方向（ハウジング１１の先端部から押し出す方向、図２の左向きの方向）に付勢するものであり、フェルール１２を光コネクタ１０後端側（後述のブーツ１７側、図２の右側）に押し込むと、押し縮められる。フェルール１２は、スプリング１５によって、接合端面１２ａ付近がハウジング１１先端から突出されているが、ハウジング１１に設けられているストッパ（図示略）によって、ハウジング１１の先端から抜け出ないようになっている。
【００１０】
光ファイバ１６は、フェルール１２により、先端を突き合わせ接続可能に成端されており、光コネクタ１０の内部を貫通して光コネクタ１０後端から引き出されている。また、光コネクタ１０後端から引き出された光ファイバ１６は、ハウジング１１の接続方向後端側に設けられたブーツ１７に収納されることにより、光コネクタ１０後端付近での急激な曲げ等が防止されている。
【００１１】
光ファイバ１６としては、特に限定はなく、例えば単心または多心の光ファイバ心線、この光ファイバ心線をチューブに収納した光ファイバコードなどが採用可能である。前記光ファイバ心線や前記光ファイバコードの場合、該光ファイバ心線等の先端の被覆を除去して露出させた裸光ファイバを、フェルール１２の光ファイバ穴（図示略）に挿入して、突き合わせ接続可能に成端される。
【００１２】
アダプタ１に対向する両側から挿入して接続される光コネクタ１０は、アダプタ１内でのフェルール１２同士の突き合わせ接合によって接続される。フェルール１２同士は、周知のガイドピン嵌合方式の位置決め機構によって高精度に位置決めして、接合端面１２ａ同士を突き合わせ接合して接続されるようになっており、これにより、各フェルール１２に成端されている光ファイバ１６同士が光接続される。
【００１３】
接続する一方の光コネクタ１０には、位置決め用のガイドピン１８が挿入されたフェルール１２がガイドピン１８を固定するためのピンクランプ１４と共に組み込まれ、このフェルール１２の接合端面１２ａから突出しているガイドピン１８を、他方の光コネクタ１０のフェルール１２のガイドピン穴（図示略）に挿入、嵌合することで、フェルール１２同士が高度に位置決めされて接合される。ピンクランプ１４は、フェルール１２の接合端面１２ａに対向する後端側に取り付けられており、前記スプリング１５の付勢力は、該ピンクランプ１４を介してフェルール１２に作用する。なお、ガイドピン１８を省略する場合は、ピンクランプ１４も省略でき、この場合には、スプリング１５の付勢力は、直接、フェルール１２に作用させられる。
また、フェルール１２自体にガイドピン１８を固定する機構が取り付けられている場合には、ピンクランプ１４が無くても、フェルール１２にガイドピン１８を一体に取り付けることが可能であり、この場合にも、ピンクランプ１４を省略できる。
【００１４】
本実施の形態のアダプタ１は、図１に示すように、上述の光コネクタ１０を挿入して接続するための内部ハウジング２と、この内部ハウジング２を収容して保持するための外部ハウジング３とからなり、いずれもプラスチック製である。
内部ハウジング２は、光コネクタ１０の先端部（すなわち内部ハウジング２に挿入される部分）の形状に合わせて、偏平なスリーブ状に形成されており、その内側はコネクタ穴４となっている。そして、該内部ハウジング２の両端から、それぞれ光コネクタ１０を挿入して位置決めし、コネクタ穴４内で各光コネクタ１０のフェルール１２の接合端面１２ａを接合させて、光ファイバを接続することができるようになっている。
また、外部ハウジング３は、内部ハウジング２の形状に合わせて、偏平なスリーブ状に形成されており、その内側は、内部ハウジング２を収容するための内部ハウジング収容穴５となっている。
【００１５】
内部ハウジング２の外面２ａには、該内部ハウジング２の軸方向中央部の対向する幅方向の両側に、ピン状の係合突起６ａが突出して設けられている。また、外部ハウジング３の内面３ａには、上記の内部ハウジング２の係合突起６ａと対応する位置に、係合凹所６ｂが凹設されている。係合凹所６ｂは、外部ハウジング３をバックパネルなどに取り付けるための取付孔９ａを有するフランジ部９の内部に若干侵入して形成されている。
これらの係合突起６ａと係合凹所６ｂとから、係合部６が構成されており、内部ハウジング２と外部ハウジング３とは、この係合部６の係合によって、離脱が防止されている。
【００１６】
外部ハウジング３の内部ハウジング収容穴５は、内部ハウジング２の外形よりも若干大きく、クリアランスによって内部ハウジング２が浮動できる大きさに形成されている。また、係合突起６ａと係合凹所６ｂとの間も、クリアランスによって、係合突起６ａが係合凹所６ｂ内で浮動できる関係になっている。
さらに、外部ハウジング３の内部ハウジング収容穴５の両開口端縁には、内側から減肉された凹部３ｂが設けられており、内部ハウジング２に装着された光コネクタ１０の端縁が、当該凹部３ｂに突き当たる位置を限度として、内部ハウジング２の軸方向中央部を回転中心として浮動できるようになっている。
【００１７】
これにより、内部ハウジング２は、コネクタ穴４の両端に光コネクタ１０を装着した状態でも、図３（ａ）、図４（ａ）に示すように、内部ハウジング２の外面２ａと、外部ハウジング３の内面３ａとの間のうちの、幅方向に対向する面の間に、クリアランスが設けられたところで、係合突起６ａが係合凹所６ｂ内で浮動することにより、内部ハウジング２の中心軸線方向が、外部ハウジング３の内部ハウジング収容穴５の中心軸線に対して、幅方向に、最大±θ１程度傾斜できるようになっている。
【００１８】
また、図３（ｂ）、図４（ｂ）に示すように、内部ハウジング２の外面２ａと、外部ハウジング３の内面３ａとの間のうちの、厚さ方向に対向する面の間に、クリアランスが設けられたところで、係合突起６ａが係合凹所６ｂ内で係合突起６ａの突出方向（すなわち２個の係合突起６ａを結ぶ方向）を中心軸として回動することにより、内部ハウジング２の中心軸線方向が、外部ハウジング３の内部ハウジング収容穴５の中心軸線に対して、厚さ方向に、最大±θ２程度傾斜できるようになっている。
【００１９】
つまり、内部ハウジング２の軸方向中央部を回転中心とした若干の浮動が可能となり、内部ハウジング２の中心軸線方向が、外部ハウジング３の内部ハウジング収容穴５の中心軸線に対して、任意の方向に最大±２°程度（図３（ａ）（ｂ）に示す角度θ１、θ２）傾斜できるようになっている。
【００２０】
さらに、アダプタ１および光コネクタ１０には、コネクタ穴４に光コネクタ１０を挿入したときに、ぐらつきなく結合し、また、必要に応じて、この結合を容易に離脱できるような機構を備えることが好ましい。
このような機構としては、例えば、図１〜４に示すような、スライドロック機構が挙げられる。すなわち、アダプタ１の内部ハウジング２に光コネクタ１０を挿入したとき、内部ハウジング２のコネクタ穴４の両側の縁部の一対の係合爪７が、光コネクタ１０のハウジング１１の両側面に形成された係合凹所１１ａに係脱自在に係合するようになっている。
そして、前記カップリング１３は、ハウジング１１の外側に設けられたカップリング用スプリング（図示略）によって接続方向前方に付勢されており、通常時（何ら外力が与えられていないとき）は、前記係合凹所１１ａを外側から覆う位置にあり、アダプタ１への光コネクタ１０の挿入時に内部ハウジング２（具体的には係合爪７）に突き当たることで、光コネクタ１０後端側へ押し動かされた後、弾性爪である係合爪７先端の突片が係合爪７自身の弾性によって係合凹所１１ａに入り込んで係合し、係合爪７に対する突き当てが解消されることで、前記カップリング用スプリングの付勢力によって再び係合凹所１１ａを外側から覆う位置に復帰する。この位置では、ハウジング１１の係合凹所１１ａに係合されている係合爪７がハウジング１１側面に押さえ込むようにして係合凹所１１ａに対する係合解除を防止できる。カップリング１３を、前記カップリング用スプリングの付勢力に抗して接続方向後端側に滑動させると、アダプタ１側の係合爪７を係合凹所１１ａから離脱させてその係合を解除でき、内部ハウジング２からの光コネクタ１０の抜去が可能となる。
しかし、このような機構は、特に必須というものではなく、また、たとえ設けるにしても、光コネクタ（プラグ）１０をアダプタ１に挿入することによって、アダプタ１と光コネクタ（プラグ）１０が結合してロックされ、光コネクタ（プラグ）１０についているスライド片（上述の例では、カップリング１３に相当する）を引き、ロックを解除させながら光コネクタ（プラグ）１０を引くことによって離脱できる構造であればよく、その構造や作用は、特に限定されるものではない。
【００２１】
また、内部ハウジング２の内面には、光コネクタ１０の逆差しを防止するため、キー溝８ａが設けられており、これを光コネクタ１０のハウジング１１に突設されているキー８ｂと係合させることにより、光コネクタ１０を正しい挿入向きで挿入できるようになっている。
しかし、これは、本発明のアダプタ１には、特に必須というものではない。
【００２２】
このようなアダプタ１に光コネクタ１０を挿入して結合させるためには、従来のアダプタを用いた場合と同様に、まず、内部ハウジング２の一端に、一の光コネクタ１０を挿入し、次いで、内部ハウジング２の他端に、他の光コネクタ１０を挿入して、各光コネクタ１０のフェルール１２の接合端面１２ａを接合させ、ガイドピン１８をガイドピン穴に係合して固定すればよい。
【００２３】
本実施の形態のアダプタ１を用いた場合、光コネクタ１０は、内部ハウジング２のコネクタ穴４内に、ぐらつきなく挿入して固定することができる。しかも、内部ハウジング２が外部ハウジング３内で浮動可能となるように、クリアランスが設けられているので、１個の光コネクタ１０が装着された内部ハウジング２に、逆側から２個目の光コネクタ１０を挿入して１個目の光コネクタ１０と接続しようとする際、その装着しようとする光コネクタ１０を、外部ハウジング３の内部ハウジング収容穴５の中心軸線からずれた方向に動かしたとしても、装着済みの光コネクタ１０が内部ハウジング２とともに浮動して、内部ハウジング２の中心軸線の方向が、着脱方向に追従するようになるので、フェルール１２の接合端面１２ａなどのこじりを抑制し、光コネクタ１０の先端部やフェルール１２の接合端面１２ａの損傷や破損を抑制することができる。
【００２４】
同様に、内部ハウジング２に２個の光コネクタ１０が装着された状態で、一方の光コネクタ１０を離脱させるために力を加えたときにも、他方の光コネクタ１０が内部ハウジング２とともに浮動して、内部ハウジング２の中心軸線の方向が、着脱方向に追従するようになるので、光コネクタ１０の抜去を、光コネクタ１０に無理な力を与えることなく円滑に行うことができる。
【００２５】
図５は、本発明の光コネクタハウジングをレセプタクルに適用した一例を示す正断面図である。図５において、図１〜４で用いた符号と同一の符号は、図１の構成と同様のものであることを意味する。また、本実施の形態の光コネクタハウジング１（以下、単にレセプタクルという）においては、フェルール１２Ａ、１２Ｂとしては、ＭＴ形フェルールが採用されている。また、このレセプタクルと嵌合されるプラグ１０の構成は、図２に示したものと同様であり、一方のフェルール１２Ａを収容できるようになっている。
このレセプタクル１は、一端側に光コネクタ（プラグ）１０を挿入して接続するための内部ハウジング２と、この内部ハウジング２を収容して保持するための外部ハウジング３とからなる。
【００２６】
内部ハウジング２の一端側はコネクタ穴４となっており、このコネクタ穴４には、フェルール１２Ａが収容されたプラグ１０をぐらつきなく挿入して固定することができるようになっている。
また、コネクタ穴４の反対の後端側には、他方のフェルール１２Ｂを後端側からコネクタ穴４側に挿入して収容するためのフェルール収容穴２０が設けられている。このフェルール収容穴２０の中に、フェルール１２Ｂ、スプリング１５、受け部材２１をこの順序で挿入し、フェルール１２Ｂの前端部をフェルール収容穴２０の前端側に設けられたガイド穴２０ａに収容し、受け部材２１をフェルール収容穴２０の口に嵌め込んで塞ぐことにより、フェルール１２Ｂは、スプリング１５によって受け部材２１に対して反力を取り、接続方向（内部ハウジング２の先端部から押し出す方向、図５における右向きの方向）に付勢された状態で、内部ハウジング２に収容される。これにより、コネクタ穴４にプラグ１０を挿入して位置決めし、フェルール１２Ａ、１２Ｂの接合端面を接合させることにより、光ファイバを接続することができる。
【００２７】
外部ハウジング３は、概略スリーブ状であり、その内側は、内部ハウジング２を収容するための内部ハウジング収容穴５となっている。外部ハウジング３の内部ハウジング収容穴５は、内部ハウジング２の外形よりも若干大きく、クリアランスによって内部ハウジング２が浮動できる大きさに形成されている。
さらに、内部ハウジング２の軸方向中央部外側にはピン状の係合突起６ａが、また、外部ハウジング３の内側には係合凹所６ｂが形成されており、これらにより係合部６が構成されている。係合部６は、フェルール１２Ａ、１２Ｂの接合位置付近に設けられており、クリアランスによって浮動可能に係合されている。この係合により、内部ハウジング２の外部ハウジング３からの離脱が防止されている。また、係合部６のクリアランスによって、内部ハウジング２が、該係合部６を回転中心として外部ハウジング３内で浮動可能となっている。
【００２８】
このようなレセプタクル１を用いることにより、上述のアダプタの場合と同様に、光コネクタ１０の着脱の際、この光コネクタ１０に対して、レセプタクルの外部ハウジング３の内部ハウジング収容穴５の中心軸線方向から若干ずれた方向に力を加えたとしても、内部ハウジング２に収容されたフェルール１２Ｂが、内部ハウジング２とともに該内部ハウジング２の軸方向中央部を回転中心として、矢印Ｙに示すように浮動して、力を加えた側の光コネクタ１０に追従して移動するので、光コネクタ１０やフェルール１２Ａ、１２Ｂの先端部のこじりや損傷、破損などを抑制することができる。
【００２９】
以上、本発明を好適な実施の形態に基づいて説明してきたが、本発明はこの実施の形態のみに限定されるものではなく本発明の要旨を逸脱しない範囲で種々の改変が可能である。
上記実施の形態においては、ＭＰＯ形コネクタ（ＭＰＯ：Ｍｕｌｔｉｆｉｂｅｒ　Ｐｕｓｈ−Ｏｎ、ＪＩＳ　Ｃ　５９８２に規定されるものなど）に適用した場合を説明したが、これに限定されるものではない。例えば、ＳＣ形コネクタ（ＳＣ：Ｓｉｎｇｌｅ　ｆｉｂｅｒ　Ｃｏｕｐｌｉｎｇ、ＪＩＳ　Ｃ　５９７３に規定されるもの等）、ＭＵ形コネクタ（ＭＵ：Ｍｉｎｉａｔｕｒｅ−Ｕｎｉｔ　ｃｏｕｐｌｉｎｇ、ＪＩＳ　Ｃ　５９８３に規定されるもの等）等、光コネクタを、中心軸線の方向に対称にアダプタに装着して、フェルールを互いに接合させるプラグ−アダプタ−プラグ結合方式、プラグ−レセプタクル結合方式などの光コネクタに適用することができる。
【００３０】
また、光コネクタ１０としては、フェルール１２（１２Ａ）がハウジング１１に収容されたプラグ形のものを説明したが、特にこれに限定されるものではなく、ハウジング１１自体がフェルールを兼ねるものなども、差し支えなく適用可能である。また、先端部の外観が略偏平状の光コネクタ１０に適用した例を示したが、特にこれに限定されるものではなく、光コネクタ１０の形状に合わせたアダプタ１とする限り、円形状、楕円状、方形状などのものにも適用可能であることは言うまでもない。
【００３１】
上記実施の形態の光コネクタハウジングとしては、外部ハウジング３が１個の内部ハウジング収容穴５を有するとともに、内部ハウジング２が１個のコネクタ穴４を有するものを例示したが、これに限定されるものではなく、例えば、外部ハウジング３が複数の内部ハウジング収容穴５を有し、各内部ハウジング収容穴５に内部ハウジング２を収容したものや、内部ハウジング２が複数のコネクタ穴４を有し、複数の光コネクタ（プラグ）を積層してハウジングにより一括に構成した多連の光コネクタプラグを収容可能としたものなど、いわゆる多連のアダプタ、レセプタクルなどにも適用可能である。
【００３２】
さらに、外部ハウジング３内で内部ハウジング２が浮動する方向は、上記実施の形態では、光コネクタ１０の厚さ方向と幅方向の両方を含む全方向に浮動可能としたが、本発明は、これに限定されるものではなく、内部ハウジング２が特定の一方向にのみ、浮動可能としたものとすることもできる。例えば、上述の多連の光コネクタでは、プラグの着脱方向は、複数のプラグが配列した方向には傾きにくくなることから、この配列方向と直交する方向にのみにクリアランスを取って浮動量が大きくなるようにすればよい場合がある。
【００３３】
さらに、係合部６の構造も、特に限定されるものではなく、種々の改変が可能である。例えば、外部ハウジング３の内面に一対の係合突起６ａを突設し、内部ハウジング２の外面に、前記係合突起６ａと対応する位置に、係合凹所６ｂが凹設することによって、係合部６を構成するようにしてもよい。
また、係合部６の形状は特に限定されるものではなく、リブ状、フランジ状、耳状などの形状としてもよく、その個数も１個または複数個とすることができる。例えば、係合部を内部または外部ハウジング２、３の軸方向中央部外側の全周またはほぼ全周に亘って形成したり、係合部を３個以上等間隔に配置したりする例が挙げられる。
【００３４】
【発明の効果】
以上説明したように、本発明の光コネクタハウジングは、光コネクタが挿入接続される内部ハウジングと、この内部ハウジングをクリアランスによって浮動を許容して収容する外部ハウジングとを有し、内部ハウジングの軸方向中央部外側と、外部ハウジングの内側とに形成された係合部が、クリアランスによって浮動可能に係合されており、内部ハウジングが、その軸方向中央部を回転中心として浮動可能となっているので、光コネクタの着脱の際、一方の光コネクタに対して、外部ハウジングの内部ハウジング収容穴の中心軸線方向から若干ずれた方向に力を加えたとしても、他方の光コネクタが内部ハウジングとともに、該内部ハウジングの軸方向中央部を回転中心として浮動して、力を加えた側の光コネクタに追従して移動するので、光コネクタの先端部のこじりや損傷、破損などを抑制することができる。
【図面の簡単な説明】
【図１】本発明の光コネクタハウジングの一例であって、アダプタの一例を示す（ａ）平断面図、（ｂ）正断面図、（ｃ）側面図である。
【図２】図１に示すアダプタとともに用いられる光コネクタの一例を示す片側断面図である。
【図３】図１に示すアダプタに、図２に示す光コネクタを取り付けた状態を示す（ａ）平断面図、（ｂ）正断面図である。
【図４】図３の要部を拡大して示す（ａ）平断面図、（ｂ）正断面図である。
【図５】本発明の光コネクタハウジングの一例であって、レセプタクルの一例を示す平断面図である。
【符号の説明】
１…光コネクタハウジング（アダプタ、レセプタクル）、２…内部ハウジング、３…外部ハウジング、６…係合部、６ａ…係合突起、６ｂ…係合凹所、１０…光コネクタ（プラグ）。
【図１】
2004093828.tif 000003
【図２】
2004093828.tif 000004
【図３】
2004093828.tif 000005
【図４】
2004093828.tif 000006
【図５】
2004093828.tif 000007